【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
相手方と電磁結合して通信を行うためのアンテナの共振周波数が制御可能なアンテナ共振回路と、
上記アンテナ共振回路に接続されるアンテナ駆動部とを備え、
上記アンテナ駆動部は、発振周波数が制御可能な発振部と、上記発振部により得られる高周波信号を上記アンテナ共振回路に供給する出力部と、上記発振部の発振周波数及び上記アンテナ共振回路のアンテナ共振周波数を制御する制御部と、上記出力部の出力インピーダンスまたは出力電流の位相を検出する位相検出部とを備え、
上記制御部により、動作モードに応じて上記発振部の発振周波数を制御するとともに、上記位相検出部により検出される上記出力部の出力インピーダンスまたは出力電流の位相に基づいて、上記アンテナ共振回路の共振周波数を制御することを特徴とする非接触通信デバイス。
【請求項２】
上記アンテナ共振回路はアンテナコイルにコンデンサが直並列接続された直並列共振回路であって、
上記制御部は、上記動作モードに応じた発振周波数において、上記アンテナ共振回路の共振周波数を上昇させるように制御することにより、上記位相検出部により検出される上記出力部の出力インピーダンスまたは出力電流の位相がマイナスからプラスに変わる点を第２の共振周波数とし、上記出力部の出力インピーダンスまたは出力電流の位相がプラスからマイナスに変わる点を第１の共振周波数とすることを特徴とする請求項１記載の非接触通信デバイス。
【請求項３】
上記制御部は、調整モードにおいて、上記位相検出部により検出される上記出力部の出力インピーダンスまたは出力電流の位相がマイナスからプラスに変わる上記アンテナ共振回路の第２の共振周波数と、上記出力部の出力インピーダンスまたは出力電流の位相がプラスからマイナスに変わる上記アンテナ共振回路の第１の共振周波数を検出して記憶手段に記憶し、Ｒ／Ｗモード時に上記アンテナ共振回路の共振周波数を上記第２の共振周波数に制御し、ＣＡＲＤモード時に上記アンテナ共振回路の共振周波数を上記第１の共振周波数に制御することを特徴とする請求項２記載の非接触通信デバイス。
【請求項４】
上記制御部は、上記アンテナ共振回路のアンテナによる共振周波数シフトを見越したオフセット量を加えた共振周波数に上記アンテナ共振回路の共振周波数を制御することを特徴とする請求項１乃至３のいずれか１項に記載の非接触通信デバイス。
【請求項５】
相手方と電磁結合して通信を行うためのアンテナの共振周波数が制御可能なアンテナ共振回路に接続されるアンテナ駆動部を備え、上記アンテナ駆動部は、アンテナ共振回路に供給する高周波信号の発振周波数が制御可能な発振部と、上記発振部により得られる高周波信号を上記アンテナ共振回路に供給する出力部と、上記発振部の発振周波数及び上記アンテナ共振回路のアンテナ共振周波数を制御する制御部と、上記出力部の出力インピーダンスまたは出力電流の位相を検出する位相検出部とを備える非接触通信デバイスにおけるアンテナ共振周波数制御方法であって、
上記制御部により、動作モードに応じて上記発振部の発振周波数を制御するとともに、上記位相検出部により検出される上記出力部の出力インピーダンスまたは出力電流の位相に基づいて、上記アンテナ共振回路の共振周波数を制御することを特徴とするアンテナ共振周波数制御方法。
【請求項６】
調整モードにおいて、上記アンテナ共振回路の共振周波数を上昇させるように制御を行って、上記位相検出部により検出される上記出力部の出力インピーダンスまたは出力電流の位相がマイナスからプラスに変わる上記アンテナ共振回路の第２の共振周波数と、上記出力部の出力インピーダンスまたは出力電流の位相がプラスからマイナスに変わる上記アンテナ共振回路の第１の共振周波数を検出して記憶手段に記憶し、
Ｒ／Ｗモード時に上記アンテナ共振回路を上記第２の共振周波数に制御し、
ＩＣカードモード時に上記アンテナ共振回路を上記第１の共振周波数に制御することを特徴とする請求項５記載のアンテナ共振周波数制御方法。
【請求項７】
調整モードにおいて、上記発振部の発振周波数を制御し、１回の周波数走査で、上記位相検出部により検出される上記出力部の出力インピーダンスまたは出力電流の位相がマイナスからプラスに変わる上記アンテナ共振回路の第２の共振周波数と、上記出力部の出力インピーダンスまたは出力電流の位相がプラスからマイナスに変わる上記アンテナ共振回路の第１の共振周波数を検出して上記記憶手段に記憶することを特徴とする請求項６記載のアンテナ共振周波数制御方法。
【手続補正２】
【補正対象書類名】明細書
【補正対象項目名】全文
【補正方法】変更
【補正の内容】
【発明の詳細な説明】
【発明の名称】非接触通信デバイス及びそのアンテナ共振周波数制御方法
【技術分野】
【０００１】
本発明は、電磁誘導作用により外部機器と非接触で通信を行う機能を備える非接触通信デバイス及びそのアンテナ共振周波数制御方法に関する。
【背景技術】
【０００２】
例えば交通乗車券や電子マネー等の非接触ＩＣ（Integrated Circuit）カードを利用した非接触通信システムでは、システム専用のリーダ／ライタ（以下、Ｒ／Ｗと記す）装置の送信アンテナ（共振回路）から送出された送信信号を、非接触ＩＣカード内に設けられた受信アンテナで電磁誘導作用により受信する。
【０００３】
また、従来、上述した非接触ＩＣカードと同様の機能（以下、ＩＣカード機能という）及びＲ／Ｗ装置と同様の機能（以下、Ｒ／Ｗ機能という）の両方を備えた例えば移動通信端末等の携帯通信装置や近距離無線通信（NFC:near field communication）システムが開発されている。
【０００４】
上述した非接触通信システムにおけるＩＣカードや、ＩＣカード機能及びＲ／Ｗ機能の両方を備えた携帯通信装置においては、温度、湿度、周辺機器等の周囲の環境等、様々な要因でＩＣカード機能（受信アンテナ）の共振周波数が変化する。具体的には、例えば次のような要因（１）〜（５）等で共振周波数が変化する。
（１）各機能部の構成部品の製造上のばらつきの影響
（２）出荷後の構成部品の経時変化や部品交換の影響
（３）例えば、温度、湿度等の周囲環境の変化による特性劣化
（４）携帯通信装置に取り付けられる例えばシール等の装飾物の影響
（５）外部のＲ／Ｗ装置の影響
【０００５】
受信アンテナの共振周波数がずれてしまうと、安定して情報を送受信することが困難となる。
【０００６】
そこで、従来より、上述の如き様々な要因により生ずる受信アンテナの共振周波数のずれに対処するための技術開発が望まれている。
【０００７】
なお、上記要因（１）に対しては、装置の出荷工程において共振回路を構成するキャパシタンス（コンデンサ）やインダクタンス（コイル）を調整することにより対処可能である。しかしながら、この場合、装置毎にキャパシタンスやインダクタンスを調整しなければならないという問題が生じる。また、上記要因（１）に対しては、特性ばらつきの少ない部品を用いることにより対処することも可能である。しかしながら、この場合には、部品が高価になりコストが高くなるという問題がある。なお、上記要因（４）及び（５）は、電磁結合により非接触通信を行う携帯通信装置に特有の問題であり、出荷工程において対処することは困難である。
【０００８】
また、ＩＣカード機能及びＲ／Ｗ機能の両方を備えた携帯通信装置に限らず、Ｒ／Ｗ装置においても、例えば、上記要因（１）〜（３）により、送信アンテナの共振周波数が変化する。それゆえ、Ｒ／Ｗ装置においても、共振周波数のずれを容易に調整可能にする技術の開発が望まれている。
【０００９】
本件発明者等は、受信共振周波数を調整するための調整信号が携帯通信装置内の受信部に送信された際に、調整信号の送信状態に関する情報を含むパラメータを検出し、検出されたパラメータに基づいて、受信共振周波数の調整を行うことにより、受信アンテナ及び／又は送信アンテナの共振周波数のずれを容易に調整可能にして、安定した通信特性を得るようにしたＩＣカード機能及びＲ／Ｗ機能の両方を備える携帯通信装置、Ｒ／Ｗ装置、及び、それらの装置の共振周波数調整方法を先に提案している（例えば、特許文献１参照）。
【先行技術文献】
【特許文献】
【００１０】
【特許文献１】特開２０１２−９９９６８号公報
【発明の概要】
【発明が解決しようとする課題】
【００１１】
ところで、本件発明者等が先に提案している特許文献１に開示されている共振周波数調整方法では、携帯通信装置に搭載されているＬＳＩのＲ／Ｗ機能を利用し、１３．５６ＭＨｚの信号を調整信号として出力させ、アンテナ電圧と電流の位相差が０になるように共振回路の可変容量を制御するので、アンテナ電流位相検出用に信号線をアンテナから引き出す必要がある。そのため、アンテナ端子及びＬＳＩ端子をそれぞれ１つ増設しなければならないばかりでなく、アンテナ電流位相の検出用に外付け抵抗を設ける必要があり、コストアップの要因となる。また、電気特性的にも共振回路から検出用信号線を引き出すことで、共振の先鋭度(Q:Quality factor)が下がったり、不要輻射などのノイズが増えてしまうという問題点がある。
【００１２】
さらに、上記共振周波数調整方法では、Ｒ／Ｗ機能での調整となっているので、ＩＣカード機能での調整が別途必要となる。
【００１３】
そこで、本発明の目的は、上述の如き従来の実状に鑑み、アンテナ電流位相検出用に信号線をアンテナから引き出すことなく、アンテナ端子及びＬＳＩ端子の増設や外付け抵抗によるコストアップや共振のＱの低下や、不要輻射などのノイズの増加等の問題点がなく、しかも、ＮＦＣシステムなどにおけるＲ／Ｗ機能の動作モード（以下、Ｒ／Ｗモードという）とＩＣカード機能の動作モード（以下、ＩＣカードモードという）における各共振周波数に対応することができる非接触通信デバイス及びそのアンテナ共振周波数制御方法を提供することにある。
【００１４】
本発明の他の目的、本発明によって得られる具体的な利点は、以下に説明される実施の形態の説明から一層明らかにされる。
【課題を解決するための手段】
【００１５】
本件発明者は、電磁誘導作用により外部機器と非接触で通信を行う機能を備える非接触通信デバイスについて鋭意研究した結果、アンテナ共振回路に接続されるアンテナ駆動部の出力インピーダンスが実数になるようにマッチング回路は設計され、アンテナ共振回路はアンテナコイルにコンデンサが直並列接続された直並列共振回路であって、複数の共振点を持ち、インピーダンスが低くなるＣ成分からＬ成分への遷移点（第１共振点）がＲ／Ｗモードで用いられ、また、インピーダンスが高くなるＬ成分からＣ成分への遷移点（第２共振点）をＩＣカードモードで用いられ、Ｒ／Ｗモードでのアンテナ電流最大周波数は共振回路のＱが高い場合は第１共振点と強い相関があり、アンテナ共振回路の共振周波数をアンテナ駆動部のインピーダンスまたは出力電流の位相として検出できることを見いだした。
【００１６】
本発明では、アンテナ共振回路の共振周波数をアンテナ駆動部のインピーダンスまたは出力電流の位相の検出結果に基づいて制御する。
【００１７】
すなわち、本発明は、非接触通信デバイスであって、相手方と電磁結合して通信を行うためのアンテナの共振周波数が制御可能なアンテナ共振回路と、上記アンテナ共振回路に接続されるアンテナ駆動部とを備え、上記アンテナ駆動部は、発振周波数が制御可能な発振部と、上記発振部により得られる高周波信号を上記アンテナ共振回路に供給する出力部と、上記発振部の発振周波数及び上記アンテナ共振回路のアンテナ共振周波数を制御する制御部と、上記出力部の出力インピーダンスまたは出力電流の位相を検出する位相検出部とを備え、上記制御部により、動作モードに応じて上記発振部の発振周波数を制御するとともに、上記位相検出部により検出される上記出力部の出力インピーダンスまたは出力電流の位相に基づいて、上記アンテナ共振回路の共振周波数を制御することを特徴とする。
【００１８】
本発明に係る非接触通信デバイスでは、上記アンテナ共振回路はアンテナコイルにコンデンサが直並列接続された直並列共振回路であって、上記制御部は、上記アンテナ共振回路の共振周波数を制御することにより、上記位相検出部により検出される上記出力部の出力インピーダンスまたは出力電流の位相がマイナスからプラスに変わる点を第２の共振周波数とし、上記出力部の出力インピーダンスまたは出力電流の位相がプラスからマイナスに変わる点を第１の共振周波数とするものとすることができる。
【００１９】
また、本発明に係る非接触通信デバイスでは、上記制御部は、調整モードにおいて、上記発振部の発振周波数を制御し、Ｒ／Ｗモード時に上記アンテナ共振回路を上記第２の共振周波数に制御し、ＩＣカードモード時に上記アンテナ共振回路を上記第１の共振周波数に制御するものとすることができる。
【００２０】
さらに、本発明に係る非接触通信デバイスにおいて、上記制御部は、上記アンテナ共振回路のアンテナによる共振周波数シフトを見越したオフセット量を加えた共振周波数に上記アンテナ共振回路の共振周波数を制御するものとすることができる。
【００２１】
また、本発明は、相手方と電磁結合して通信を行うためのアンテナの共振周波数が制御可能なアンテナ共振回路に接続されるアンテナ駆動部を備え、上記アンテナ駆動部は、アンテナ共振回路に供給する高周波信号の発振周波数が制御可能な発振部と、上記発振部により得られる高周波信号を上記アンテナ共振回路に供給する出力部と、上記発振部の発振周波数及び上記アンテナ共振回路のアンテナ共振周波数を制御する制御部と、上記出力部の出力インピーダンスまたは出力電流の位相を検出する位相検出部とを備える非接触通信デバイスにおけるアンテナ共振周波数制御方法であって、上記制御部により、動作モードに応じて上記発振部の発振周波数を制御するとともに、上記位相検出部により検出される上記出力部の出力インピーダンスまたは出力電流の位相に基づいて、上記アンテナ共振回路の共振周波数を制御することを特徴とする。
【００２２】
本発明に係るアンテナ共振周波数制御方法では、調整モードにおいて、上記発振部の発振周波数を制御し、上記位相検出部により検出される上記出力部の出力インピーダンスまたは出力電流の位相がマイナスからプラスに変わる上記アンテナ共振回路の第２の共振周波数と、上記出力部の出力インピーダンスまたは出力電流の位相がプラスからマイナスに変わる上記アンテナ共振回路の第１の共振周波数を検出して記憶手段に記憶し、Ｒ／Ｗモード時に上記アンテナ共振回路を上記第２の共振周波数に制御し、ＩＣカードモード時に上記アンテナ共振回路を上記第１の共振周波数に制御するものとすることができる。
【００２３】
また、本発明に係るアンテナ共振周波数制御方法では、調整モードにおいて、上記発振部の発振周波数を制御し、１回の周波数走査で、上記位相検出部により検出される上記出力部の出力インピーダンスまたは出力電流の位相がマイナスからプラスに変わる上記アンテナ共振回路の第２の共振周波数と、上記出力部の出力インピーダンスまたは出力電流の位相がプラスからマイナスに変わる上記アンテナ共振回路の第１の共振周波数を検出して上記記憶手段に記憶するものとすることができる。
【発明の効果】
【００２４】
本発明では、アンテナ駆動部の制御部により、動作モードに応じて発振部の発振周波数を制御するとともに、位相検出部により検出される出力部の出力インピーダンスまたは出力電流の位相に基づいて、アンテナ共振回路の共振周波数を制御するので、アンテナ電流位相検出用に信号線をアンテナから引き出すことなく、アンテナ端子及びＬＳＩ端子の増設や外付け抵抗によるコストアップや共振のＱの低下や、不要輻射などのノイズの増加等の問題点がない。しかも、ＮＦＣシステムなどにおけるＲ／ＷモードとＩＣカードモードにおける各共振周波数に対応することができる。
【図面の簡単な説明】
【００２５】
【図１】本発明を適用した非接触通信デバイスの構成を回路図である。
【図２】ＮＦＣシステムなどの非接触通信において使用される基本的なマッチング回路の構成を示す回路図であり、（ａ）はシングル駆動型の回路構成を示し、（ｂ）は差動駆動型の回路構成を示している。
【図３】上記差動駆動型の回路構成の基本的なマッチング回路におけるＴｘ１，Ｔｘ２端子からみたインピーダンス特性の計算結果を示す特性図である。
【図４】アンテナ電流最大値とインピーダンスＺ（θ）＝０とアンテナ電流（θ）＝０を比較して示す特性図である。
【図５】Ｔｘ端子のインピーダンスＺ（θ）＝０、電流Ｉ（θ）＝０とアンテナ電流最大値の周波数を比較した結果を特性図であり、（ａ）はアンテナ共振回路のＱが３０以上の高い場合の特性を示し、（ｂ）はアンテナ共振回路のＱが１５の低い場合の特性を示している。
【図６】ＩＣカードモードにおける共振周波数をピックアップコイルにより検出する場合のシミュレーション結果を示す特性図である。
【図７】上記非接触通信デバイスにおけるＲ／Ｗモードの調整モード（Self tuningモード１）での処理の手順を示すフローチャートである。
【図８】上記非接触通信デバイスおけるＩＣカードモードの調整モード（Self tuningモード２）での処理の手順をフローチャートである。
【発明を実施するための形態】
【００２６】
以下、本発明を実施するための形態について、図面を参照しながら詳細に説明する。なお、本発明は、以下の実施の形態のみに限定されるものではなく、本発明の要旨を逸脱しない範囲内において種々の変更が可能であることはもちろんである。
【００２７】
本発明は、近距離無線通信（NFC:near field communication）システムなどに対応するＲ／Ｗ機能とＩＣカード機能の両方を有する非接触通信デバイス１００に適用され、例えば図１の回路図に示すように、相手方と電磁結合して通信を行うためのアンテナの共振周波数が制御可能な差動駆動型のアンテナ共振回路１０と、上記アンテナ共振回路１０に接続されるアンテナ駆動部２０とを備える非接触通信デバイス１００により、本発明に係るアンテナ共振周波数制御方法が実施される。
【００２８】
この非接触通信デバイス１００におけるアンテナ共振回路１０は、アンテナコイルＬ１にコンデンサＣ１〜Ｃ５、ＶＣ１が直並列接続された直並列共振回路１１と、コイルＬ２、Ｌ３とコンデンサＣ６，Ｃ７からなるＥＭＣフィルタ１２とを備え、可変共振コンデンサＶＣ１に印加する制御電圧を変化させることにより、アンテナ共振周波数を変化させることができるようになっている。上記可変共振コンデンサＶＣ１には、印加される制御電圧が増大すると、容量が減少する可変容量コンデンサが用いられており、その一方の制御端はバイアス抵抗Ｒ１を介して設置され、他方の制御端がバイアス抵抗Ｒ２を介して制御端子に接続されている。
【００２９】
また、この非接触通信デバイス１００におけるアンテナ駆動部２０は、発振周波数が制御可能な発振部２１と、上記発振部２１により得られる高周波信号を上記アンテナ共振回路１０に供給する出力部２２と、上記発振部２１の発振周波数及び上記アンテナ共振回路１０のアンテナ共振周波数を制御する制御部２３と、上記出力部２２の出力インピーダンスまたは出力電流の位相を検出する位相検出部２４と、上記制御部２３に接続されたデジタルアナログ変換部２５及び記憶部２６を備える。
【００３０】
上記発振部２１は、上記制御部２３から供給される周波数制御信号により発振周波数が例えば１２〜１７ＭＨｚの広範囲に亘って制御可能な周波数可変発振器からなる。
【００３１】
また、上記出力部２２は、上記発振部２１から供給される高周波信号を、正相の高周波信号と逆相の高周波信号として出力する一対の差動増幅器２２Ａ，２２Ｂからなる。
【００３２】
また、上記位相検出部２４は、上記出力部２２の差動増幅器２２Ａの入力端と出力端に接続されており、上記差動増幅器２２Ａに入力される高周波信号の電圧Ｖ１と該差動増幅器２２Ａから出力される正相の高周波信号の電圧Ｖ２との差分と上記差動増幅器２２Ａ自体のインピーダンスから、上記差動増幅器２２Ａの出力インピーダンスまたは出力電流の位相を検出し、その検出結果を上記制御部２３に供給する。
【００３３】
また、上記制御部２３は、当該非接触通信デバイス１００のＲ／Ｗ機能とＩＣカード機能を制御するもので、例えばＣＰＵ（Central Processing Unit）等により構成され、動作モードに応じて上記発振部２１の発振周波数を制御する周波数制御信号を出力するとともに、上記位相検出部２４により検出される上記出力部２２の出力インピーダンスまたは出力電流の位相に基づいて、上記アンテナ共振回路１０の共振周波数を制御する制御電圧信号を出力する。
【００３４】
そして、上記制御部２３に接続されたデジタルアナログ変換部２５は、上記制御部２３から出力されるデジタル制御電圧信号をアナログ制御電圧信号Ｖcontに変換して、上記アンテナ共振回路１０の制御端子を介して上記可変共振コンデンサＶＣ１に印加するようになっている。
【００３５】
ここで、ＮＦＣシステムなどの非接触通信において使用される基本的なマッチング回路としては、図２の（ａ）に示す１チャンネルでアンテナＬ１を駆動するシングル駆動型の回路構成と（ｂ）に示す２チャンネルでアンテナＬ１を駆動する差動駆動型の回路構成があり、どちらも基本動作は同じである。Ｔｘ１端子とＴｘ２端子がアンテナ駆動部の駆動端子にされる。
【００３６】
図１に示したアンテナ共振回路１０の構成要素に対応する構成要素は、図２中に同一符号を付して示してある。
【００３７】
上記非接触通信デバイス１００におけるアンテナ共振回路１０は、２チャンネルでアンテナＬ１を駆動する差動駆動型の回路構成となっている。
【００３８】
そして、上記アンテナ共振回路１０は、１３．５６ＭＨｚの信号を効率よく送受信できるようにアンテナコイルＬ１にコンデンサＣ１〜Ｃ５、ＶＣ１が直並列接続された直並列共振回路１１を備えている。
【００３９】
Ｒ／Ｗモードでは、上記制御部２３は、上記発振部２１を１３．５６ＭＨｚで発振させ、上記出力部２２から１３．５６ＭＨｚの正相の高周波信号と逆相の高周波信号がＴｘ１端子とＴｘ２端子に出力する制御を行う。
【００４０】
ＩＣカードモードでは、上記制御部２３は、上記アンテナ共振回路１０のアンテナＬ１に誘起される受信信号を図示しない受信回路で検出し、負荷変調により応答する制御を行う。
【００４１】
図２の（ｂ）に示した差動駆動型の回路構成の基本的なマッチング回路におけるＴｘ１，Ｔｘ２端子からみたインピーダンス特性の計算結果を図３に示す。
【００４２】
図３において、実線がインピーダンスＺを示し、点線が位相θを示しており、θ＝０になる点が共振点である。
【００４３】
周波数が低いときにはアンテナコイルＬ１に直列のコンデンサＣ４，Ｃ５の容量Ｃｓが支配的でインピーダンスＺは減少し位相θはマイナスを示しているが、周波数が高くなる従ってアンテナコイルＬ１のインダクタンスの効果が大きくなり、インピーダンスＺが大きくなり、位相θがプラスに転じる。この第１共振点は、抵抗が小さくなるためアンテナコイルＬ１に大きな電流を流すことができるので、Ｒ／Ｗモードとして使用される。
【００４４】
図４にアンテナ電流最大値とインピーダンスＺ（θ）＝０とアンテナ電流（θ）＝０を比較して示すように、アンテナ電流最大値は、インピーダンスＺ（θ）＝０、アンテナ電流（θ）＝０と近い値を示すが、少しずれている。すなわち、共振アンテナは、ノイズ除去用のＥＭＣフィルタや直列コンデンサＣ４，Ｃ５を含んだ回路となるので、コンデンサＣ１，Ｃ３のアンテナコイルＬ１で構成される並列共振回路のアンテナ電流（θ）＝０やインピーダンスＺ（θ）＝０とは必ずしも一致しない。ただし、インピーダンスＺ（θ）は、ＥＭＣフィルターや直列共振コンデンサなどの周辺回路部を含めて検出しているので、アンテナ電流（θ）＝０よりもアンテナ電流最大値に近い値となっている。
【００４５】
インピーダンスＺ（θ）は、Ｔｘ１，Ｔｘ２端子の端子電圧Ｖと電流Ｉを測定することにより、Ｚ＝Ｖ／Ｉにて計算することができ、端子電圧Ｖが一定とすれば、インピーダンスＺの位相θは、電流Ｉの位相θと一致するので、Ｔｘ端子の電流位相を検出することで共振点を検出することもできる。
【００４６】
Ｔｘ端子のインピーダンスＺ（θ）＝０、電流Ｉ（θ）＝０とアンテナ電流最大値の周波数を比較した結果を図５の（ａ）,（ｂ）に示す。図５の（ａ）は、アンテナ共振回路のＱが３０以上の高い場合の特性を示し、図５の（ｂ）は、アンテナ共振回路のＱが１５の低い場合の特性を示している。図５の（ａ）,（ｂ）に示すように、アンテナ共振回路のＱが３０以上の高い場合は、インピーダンスＺ（θ）＝０、電流Ｉ（θ）＝０とアンテナ電流最大値の周波数はよく一致しているが、アンテナ共振回路のＱが１５の低い場合はアンテナ電流との差が大きい。
【００４７】
また、ＩＣカードモードにおける共振周波数をピックアップコイルにより検出する場合のシミュレーション結果を図６に示す。図６における縦軸はインピーダンスである。ＩＣカードモードでは、少ない電流で大きな電圧を誘起するために並列共振を利用してインピーダンスを高くしており、インピーダンス最大値を共振周波数としている。このＩＣカードモードにおける共振周波数は、図３における第２共振点と一致しており、インピーダンスＺ（θ）がプラスからマイナスへの遷移点である点で第１共振点とは違っている。
【００４８】
上記第１共振点と第２共振点は、インピーダンスＺの位相θの変化の仕方で判別することができる。
【００４９】
上記非接触通信デバイス１００において、上記制御部２３は、Ｒ／Ｗモードの調整モードの実行時に、上記発振部２１の発振周波数を１３．５６ＭＨｚに設定し、上記デジタルアナログ変換部２５から上記アンテナ共振回路１０の制御端子を介して上記可変共振コンデンサＶＣ１に印加するアナログ制御電圧信号Ｖcontを、上記位相検出部２４で０位相が検出されるまで大きくしていき、０位相が検出されたときの印加電圧を第１共振点の制御電圧として記憶部２６に記憶する。
【００５０】
なお、上記位相検出部２４における０位相の検出は、位相検波で行うことができるが、位相がプラスからマイナスになった点を検出することにより、検出回路を簡略化することができる。
【００５１】
また、上記非接触通信デバイス１００において、上記制御部２３は、ＩＣカードモードの調整モードの実行時には、上記発振部２１の発振周波数を１６．０ＭＨｚに設定し、上記デジタルアナログ変換部２５から上記アンテナ共振回路１０の制御端子を介して上記可変共振コンデンサＶＣ１に印加するアナログ制御電圧信号Ｖcontを、上記位相検出部２４で０位相が検出されるまで大きくしていき、上記出力部２２の出力インピーダンスまたは出力電流の位相がマイナスからプラスに変わる点が検出されたときの印加電圧を第２共振点の制御電圧として記憶部２６に記憶する。
【００５２】
上記制御部２３は、調整モードにおいて、上記発振部２１の発振周波数を制御し、上記アンテナ共振回路１０における上記第１共振点での共振周波数と第２共振点での共振周波数を検出して、各制御電圧を記憶部２６に記憶し、Ｒ／Ｗモード時に上記アンテナ共振回路１０を上記第１の共振周波数に制御し、ＩＣカードモード時に上記アンテナ共振回路１０を上記第２の共振周波数に制御することができる。
【００５３】
上記非接触通信デバイス１００では、制御部２３により、動作モードに応じて発振部２１の発振周波数を制御するとともに、位相検出部２４により検出される出力部２２の出力インピーダンスの位相または出力電流に基づいて、アンテナ共振回路１０の共振周波数を制御するので、図２の（ａ）、（ｂ）に示した基本的なマッチング回路におけるアンテナ電流位相検出用端子Ｉmoniやモニタ抵抗Ｒ１を必要としない。
【００５４】
ここで、上記制御部２３は、Ｒ／Ｗモードの調整モードを実行する際に、アンテナ電流最大値とインピーダンスＺ（θ）＝０とのずれを考慮して設定周波数にオフセットを持たせるようにすることができる。このオフセット量は、アンテナ特性に依存するので、機器メーカが設定して記憶部２６に記憶することができる。
【００５５】
次に、上記非接触通信デバイス１００におけるＲ／Ｗモードの調整モード（Self tuningモード１）での処理の具体的な手順を図７のフローチャートに示す。
【００５６】
上記非接触通信デバイス１００の制御部２３は、Self tuningモード１に移行すると、最初に、記憶部２６に記憶されている調整共振周波数とオフセットの値を読み出して発振部２１にセットする（ステップＳ１，Ｓ２）。この例では、ステップＳ１においてＲ／Ｗモードの調整共振周波数として１３．５６ＭＨｚを発振部２１にセットし、ステップＳ２において、共振アンテナに起因するオフセット量として０．１ＭＨｚを発振部２１にセットする。
【００５７】
これにより、発振部２１は、１３．５６ＭＨｚにオフセット量０．１ＭＨｚを加えた１３．６６ＭＨｚで発振する。
【００５８】
次に、制御部２３は、上記デジタルアナログ変換部２５から上記アンテナ共振回路１０の制御端子を介して上記可変共振コンデンサＶＣ１に印加するアナログ制御電圧信号Ｖcontを０Ｖから１ステップ毎に単位電圧ずつ増加させ（ステップＳ３）、上記位相検出部２４で検出された位相がプラスからマイナスに変化したか否かを判定する（ステップＳ４）。
【００５９】
上記制御部２３は、上記ステップＳ４における判定結果が「Ｎｏ」、すなわち、上記位相検出部２４で検出された位相がプラスからマイナスに変化していない場合には、上記ステップＳ３に戻って上記アナログ制御電圧信号Ｖcontを０Ｖから１ステップ毎に単位電圧ずつ増加させ、上記アンテナ共振回路１０の共振周波数は順次高くしていく制御を、繰り返し行う。
【００６０】
そして、上記制御部２３は、上記ステップＳ４における判定結果が「Ｙｅｓ」、すなわち、上記位相検出部２４で検出された位相がプラスからマイナスに変化するまで、上記ステップＳ３とステップＳ４の処理を繰り返し行い、上記ステップＳ４における判定結果が「Ｙｅｓ」、すなわち、上記位相検出部２４で検出された位相がマイナスからプラスに変化した時点で、上記デジタルアナログ変換部２５から出力する上記アナログ制御電圧信号Ｖcontを０Ｖから１ステップ毎に単位電圧ずつ増加させたステップ数を最適調整値として記憶部２６に記憶して（ステップＳ５）、Self tuningモード１による第１共振点の検出処理を終了する。
【００６１】
上記記憶部２６に記憶した上記ステップ数は、上記位相検出部２４で検出された位相がプラスからマイナスへの変化点、すなわち、上記アンテナ共振回路１０の第１共振点に対応する上記可変共振コンデンサＶＣ１の印加電圧の最適調整値になっている。
【００６２】
また、上記非接触通信デバイス１００におけるＩＣカードモードの調整モード（Self tuningモード２）での処理の具体的な手順を図８のフローチャートに示す。
【００６３】
上記非接触通信デバイス１００の制御部２３は、Self tuningモード２に移行すると、最初に、記憶部２６に記憶されている調整共振周波数とオフセットの値を読み出して発振部２１にセットする（ステップＳ１１，Ｓ１２）。この例では、ステップＳ１１においてＩＣカードモードの調整共振周波数として１６．０ＭＨｚを発振部２１にセットし、ステップＳ２において、共振アンテナに起因するオフセット量として０ＭＨｚを発振部２１にセットする。
【００６４】
これにより、発振部２１は、１６．０ＭＨｚで発振する。
【００６５】
次に、制御部２３は、上記デジタルアナログ変換部２５から上記アンテナ共振回路１０の制御端子を介して上記可変共振コンデンサＶＣ１に印加するアナログ制御電圧信号Ｖcontを０Ｖから１ステップ毎に単位電圧ずつ増加させ（ステップＳ１３）、上記位相検出部２４で検出された位相がマイナスからプラスに変化したか否かを判定する（ステップＳ１４）。
【００６６】
上記制御部２３は、上記ステップＳ１４における判定結果が「Ｎｏ」、すなわち、上記位相検出部２４で検出された位相がマイナスからプラスに変化していない場合には、上記ステップＳ３に戻って上記アナログ制御電圧信号Ｖcontを第１の調整値から１ステップ毎に単位電圧ずつ増加させ、上記アンテナ共振回路１０の共振周波数は順次高くしていく制御を、繰り返し行う。
【００６７】
そして、上記制御部２３は、上記ステップＳ４における判定結果が「Ｙｅｓ」、すなわち、上記位相検出部２４で検出された位相がプラスからマイナスに変化するまで、上記ステップＳ１３とステップＳ１４の処理を繰り返し行い、上記ステップＳ１４における判定結果が「Ｙｅｓ」、すなわち、上記位相検出部２４で検出された位相がマイナスからプラスに変化した時点で、上記デジタルアナログ変換部２５から出力する上記アナログ制御電圧信号Ｖcontを第１の調整値から１ステップ毎に単位電圧ずつ増加させたステップ数を最適調整値として記憶部２６に記憶して（ステップＳ１５）、Self tuningモード２による第２共振点の検出処理を終了する。
上記記憶部２６に記憶した上記ステップ数は、上記位相検出部２４で検出された位相がマイナスからプラスへの変化点、すなわち、上記アンテナ共振回路１０の第２共振点に対応する上記可変共振コンデンサＶＣ１の印加電圧の最適調整値になっている。
【００６８】
Self tuningモード２による第２共振点の検出処理フローでは、ステップＳ１４において、Self tuningモード１による第１共振点の検出処理フローにおけるステップＳ４のように０Ｖからではなく、上記アナログ制御電圧信号Ｖcontを第１の調整値から１ステップ毎に単位電圧ずつ増加させるので、上記第１の調整値を最適値とすることにより調整時間を短縮することができる。
【００６９】
ここで、Self tuningモード２による第２共振点の検出処理フローは、ステップＳ１４において、上記位相検出部２４で検出された位相がマイナスからプラスになる変化点を検出する処理を行う点以外は、Self tuningモード１による第１共振点の検出処理フローと同じになっている。
【００７０】
このように、近距離無線通信（NFC:near field communication）システムなどに対応するＲ／Ｗ機能とＩＣカード機能の両方を有する非接触通信デバイス１００において、Ｒ／Ｗモードの調整モード（Self tuningモード１）での第２共振点の検出処理とＩＣカードモードの調整モード（Self tuningモード２）での第１共振点の検出処理を同じ手法で行うことでき、通信用ＬＳＩで容易にSelf tuningを実現できる。
【００７１】
また、Ｒ／Ｗモードの調整モード（Self tuningモード１）で第１共振点の検出処理を行い、ＩＣカードモードの調整モード（Self tuningモード２）で第２共振点の検出処理を行うものとして説明したが、上記非接触通信デバイス１００では、Ｒ／Ｗモードの調整モードにおいて、制御部２３により、発振部２１の発振周波数を制御し、１回の周波数走査で、位相検出部２４により検出される出力部２２の出力インピーダンスまたは出力電流の位相がマイナスからプラスに変わるアンテナ共振回路１０の第２の共振周波数と、上記出力部２２の出力インピーダンスまたは出力電流の位相がプラスからマイナスに変わる上記アンテナ共振回路１０の第１の共振周波数を検出して記憶部２６に記憶することもできる。
【００７２】
以上説明したように、上記非接触通信デバイス１００では、制御部２３により、動作モードに応じて発振部２１の発振周波数を制御するとともに、位相検出部２４により検出される出力部２２の出力インピーダンスまたは出力電流の位相に基づいて、アンテナ共振回路１０の共振周波数を制御するので、アンテナ電流位相検出用に信号線をアンテナから引き出すことなく、アンテナ端子及びＬＳＩ端子の増設や外付け抵抗によるコストアップや共振のＱの低下や、不要輻射などのノイズの増加等の問題点がない。しかも、ＮＦＣシステムなどにおけるＲ／ＷモードとＩＣカードモードにおける各共振周波数に対応することができる。
【符号の説明】
【００７３】
１０  アンテナ共振回路、１１  直並列共振回路、２０  アンテナ駆動部、２１  発振部、２２  出力部、２２Ａ，２２Ｂ  差動増幅器、２３  制御部、２４  位相検出部、２５  デジタルアナログ変換部、２６  記憶部、１００  非接触通信デバイス、Ｌ１  アンテナコイル、Ｃ１〜Ｃ７  コンデンサ、ＶＣ１  可変共振コンデンサ、Ｌ２、Ｌ３  コイル、１２  ＥＭＣフィルタ、Ｒ１，Ｒ２  バイアス抵抗
【手続補正３】
【補正対象書類名】図面
【補正対象項目名】図７
【補正方法】変更
【補正の内容】
【図７】
2015133602.tif 000001
【手続補正４】
【補正対象書類名】図面
【補正対象項目名】図８
【補正方法】変更
【補正の内容】
【図８】
2015133602.tif 000002